(57)【要約】【課題】カード挿入保護型コネクタを提供する。【解決手段】カード挿入保護型コネクタであって、殻体内に前開口のカード挿入空間を有し、第１、第２カードのうち１つを選択して挿入させ、該カード挿入空間は、少なくとも弾性接触部を有する各第１組端子およびその後方の第２組端子を設置し、該第１、第２カードを接触する接点に対応させ、該殻体がカード挿入空間底面に前後滑動する保護隔離板を設置し、該保護隔離板上に多数のガイド孔を設けてなり、後段の一側に駆動部を凸設してなり、該第１組端子の接触部上縁には上向きに該保護隔離板のガイド孔を露出し、該第２カードは該保護隔離板上面に沿って後向きに該保護隔離板の駆動部を連動して移動させ、該第１組端子の接触部を下降させ、該ガイド孔から離し、該保護隔離板底部に収容する。【選択図】図３
0003136567.tif 000002
【実用新案登録請求の範囲】
【請求項１】
殻体内に、前開口を有し両側に軌道を有したカード挿入空間を形成し、該両側の軌道内面に沿って第１軌道およびその上面に隣接する第２軌道を対応して設け、第１、第２カードのうち１つを選択して挿入させ、該カード挿入空間は、少なくとも弾性接触部を有する各第１組端子およびその後方の第２組端子を設置し、該第１、第２カード底面に接触する接点に対応させ、
該殻体の両側の第２起動の間に該第１組端子の上方から離れるアクティブバーを横にまたがるようにピン接合し、両側の第２軌道の間に制止させ、該アクティブバーは、両端に同じ向きに湾折するバーアームおよびその末端に延伸する支軸を有し、該両側軌道の対応位置に活動ピン接合し、該第１カードが該第１軌道に沿って後方へ挿入される時、該第１カードが後方へ該アクティブバーの下面を通過し、該第１組端子の接触部に接触し、該第２カードが該第２軌道に沿って後方に挿入される時、該第２カード前端が該アクティブバーを後下方へ押し、該第１組端子を移動させ、その接触部を連動して下降させ該第２カードから離し、該第２カードを該アクティブバーの上方を通過させ、該第２組端子に接触させることを特徴とするカード挿入保護機能を有するコネクタ。
【請求項２】
前記アクティブバー底縁は、該第１カード上面の設置高さに合わせてなる請求項１記載のカード挿入保護機能を有するコネクタ。
【請求項３】
前記殻体の両側軌道内面にそれぞれ凹口領域を設け、該アクティブバーの両端のバーアームおよび支軸を収容し、更に、弾性部材を設置し、該アクティブバーを上方へ押し動かし、該第１組端子から話すように移動させる請求項１記載のカード挿入保護機能を有するコネクタ。
【請求項４】
前記弾性部材はバネであり、該アクティブバーの一端の支軸上に被せ、該アクティブバーを該凹口領域の対応する前縁に押さえつけ、該弾性部材の一端に該アクティブバーを押さえつけ、その他端は凹口領域に定位する請求項３記載のカード挿入保護機能を有するコネクタ。
【請求項５】
前記アクティブバーの一端のバーアームに凸部を設け、該弾性部材の一端を押さえつけ、該凹口領域に対応して凹部を設け、該弾性部材の他端を定位させる請求項４記載のカード挿入保護機能を有するコネクタ。
【請求項６】
前記両側の軌道の凹口領域底面に開口を設け、更に、軸溝部を有し、該アクティブバーの両端の支軸を下向きに該軸溝部に挿入させ、底板は該殻体および凹口領域底面を組み合わせて接合して密封する請求項４記載のカード挿入保護機能を有するコネクタ。
【考案の詳細な説明】
【技術分野】
【０００１】
本考案は、カード挿入保護機能を有するコネクタに関し、特に、電子カードに対して使用するカード挿入保護型コネクタに関する。
【背景技術】
【０００２】
昨今の電子カードは、しばしばパソコン、電子辞書等に用いられ、メモリー、インターネットカード、デジタル機器、ＳＣＳＩ設備（大容量ディスク、スキャナー等）を拡張する。
【０００３】
電子カードはＰＣＭＣＩＡメモリーカード型式以外に、MMC（Multi Media Card）、CF（Compact Flash Card）、SMC（Smart Media（登録商標）Card）、MS（Memory Stick）、SD（Secure Digital Memory Card）メモリーカード等の規格があり、ＰＤＡ（Personal digital assistant）、電子辞書およびデジタルカメラ等の製品に応用されている。
【０００４】
現在、多くのカード共用型コネクタは多種の電子カードに対して設計され、そのうちの1種の電子カードを選択して、単独でカード挿入を行わせる。この共用型コネクタは、通常、前中後の3段の端子を設けてなり、ＸＤカード、ＳＤカード、ＭＳカードに電機接続する。このほか、このコネクタは、前段端子に対して揺動板を設置し、長厚型ＭＳカードを挿入する時、揺動板を介して前段端子を下方に推移させ、中段端子または後段端子に電気接続する。
【０００５】
但し、この揺動板はカード挿入空間を占有し、更に前段端子を常に支持する必要があり、構造の安定性に影響を及ぼす。特に、揺動板が前段端子を精確に推移することが困難であり、前段端子の傾斜部がＭＳカードの金属面を抵触して、不当な衝突または電気的短絡を起こす。
【特許文献１】特開２００３−３１３１４号公報
【考案の開示】
【考案が解決しようとする課題】
【０００６】
本考案の目的は、ＸＤカードを挿入する時、直接、後方に向かってアクティブバー下面を通過させ、ＸＤ端子に接触させ、ＳＤカードまたはＭＳカードを挿入する時、アクティブバーを後下方へ押し動かし、ＸＤ端子を下降させ、ＸＤ端子がＳＤカードまたはＭＳカードの金属殻面に抵触すること避け、不当な衝突および電気的短絡を防止し、且つ保護隔離動作を確実に安定させ、更に耐久性があり、実際の使用の需要に適合したカード挿入保護機能を有するコネクタを提供することにある。
【課題を解決するための手段】
【０００７】
上記の目的を達成するため、本考案のコネクタの殻体内に、前開口を有し両側に軌道を有したカード挿入空間を形成し、該両側の軌道内面に沿って第１軌道およびその上面に隣接する第２軌道を対応して設け、第１、第２カードのうち１つを選択して挿入させる。該カード挿入空間は、少なくとも弾性接触部を有する各第１組端子およびその後方の第２組端子を設置し、該第１、第２カード底面に接触する接点に対応させる。その特徴は、以下のようである。該殻体の両側の第２起動の間に該第１組端子の上方から離れるアクティブバーを横にまたがるようにピン接合し、両側の第２軌道の間に制止させる。該アクティブバーは、両端に同じ向きに湾折するバーアームおよびその末端に延伸する支軸を有し、該両側軌道の対応位置に活動ピン接合する。該第１カードが該第１軌道に沿って後方へ挿入される時、該第１カードが後方へ該アクティブバーの下面を通過し、該第１組端子の接触部に接触する。該第２カードが該第２軌道に沿って後方に挿入される時、該第２カード前端が該アクティブバーを後下方へ押し、該第１組端子を移動させ、その接触部を連動して下降させ該第２カードから離し、該第２カードを該アクティブバーの上方を通過させ、該第２組端子に接触させる。
【０００８】
実施例中、該アクティブバーの底縁は該第１カード上面の設置高さに合わせてなる。
【０００９】
好適な実施例中、該殻体の両側軌道内面にそれぞれ凹口領域を設け、該アクティブバーの両端のバーアームおよび支軸を収容する。更に、弾性部材を設置し、該アクティブバーを上方へ押し動かし、該第１組端子から話すように移動させる。
【００１０】
上記弾性部材はバネであり、該アクティブバーの一端の支軸上に被せ、該アクティブバーを該凹口領域の対応する前縁に押さえつける。該弾性部材の一端に該アクティブバーを押さえつけ、その他端は凹口領域に定位する。
【００１１】
上記アクティブバーの一端のバーアームに凸部を設け、該弾性部材の一端を押さえつける。該凹口領域に対応して凹部を設け、該弾性部材の他端を定位させる。
【００１２】
上記両側の軌道の凹口領域底面に開口を設け、更に、軸溝部を有し、該アクティブバーの両端の支軸を下向きに該軸溝部に挿入させる。底板は該殻体および凹口領域底面を組み合わせて接合して密封する。
【考案の効果】
【００１３】
本考案のカード挿入コネクタは、ＸＤカードを直接後方へアクティブバーの下面を通過させ、ＸＤ端子に接触させ、ＳＤカードまたはＭＳカードを挿入する時は、アクティブバーを後下方へ押し動かしＸＤ端子を下方へ押し、ＸＤ端子とＳＤまたはＭＳカードの金属殻面が抵触することを避け、不当な衝突および電気的短絡を防止し、保護隔離板は確実に安定し、更に耐久性があり、実際の使用需要に適合する。
【考案を実施するための最良の形態】
【００１４】
まず、図１において、本考案のカード挿入コネクタの殻体１０は、絶縁ソケット１１および上蓋１２を接合して組成され、両者の間は、係止部１１１および係止孔１２１で嵌合固定される。図１、図２および図３のコネクタ構造中、該殻体１０は、絶縁ソケット１１を上蓋１２に合わせて前開口のカード挿入空間１３を有し、その両側に軌道１４を有し、絶縁ソケット１１底面に底板４０を組み付け、第１カード（ＸＤカード）または第２カード（ＳＤカード）を選択して単独挿入させ、または第３カード（ＭＳカード）を選択し挿入させることができる。
【００１５】
図１、図２、図３および図４に示すコネクタ殻体１０構造中、該絶縁体１１はカード挿入空間１３中に第１、第２、第３組端子２１，２２，２３を設置してなり、その弾性接触部２４，２５，２６は、第１カード（ＳＤカード）、第２カード（ＭＳカード）、第３カード（ＸＤカード）に対応して電機接触する。好適な実施例中、第２組端子２２は、2段に分けてなり、第２カード（ＳＤカード）およびＭＭＣカードに適用する。同時に絶縁ソケット１１はカード挿入空間１３において両側軌道１４内面に沿って、第１、第２軌道１５，１６を設けてなり、第２軌道１６は第１軌道１５上面に隣接し、第１、第２、第３カードのうち１つを単独でカード挿入空間１３に進入させる。
【００１６】
本実施例のコネクタは、殻体１０両側軌道１４の間に該第１組端子２１の上方から離れるアクティブバー３０を跨るようにピン接合し、両側の第２軌道１６の間に制止させる。該アクティブバー３０は図３から図８に示す構造中、両端に同じ向きに支持するバーアーム３１、３２および、その末端に延伸する支軸３３，３４を有し、該両側軌道１４の対応位置に活動的にピン接合し、アクティブバー３０底縁を第１カード（ＸＤカード）上面の設置高さに合わせることができる。
【００１７】
好適な実施例中、絶縁ソケット１１の両側軌道１４内面にそれぞれ凹口領域１７を設けてなり、該アクティブバー３０の両端にバーアーム３１、３２および支軸３３，３４を収容する。更に弾性部材３６を設置し（図２および図７参照）、該アクティブバー３０を上方に押し動かし該第一組端子２１から離す。図２および図７において、該弾性部材３６はバネであることができ、該アクティブバー３０の一端の支軸３３上に被せ、該アクティブバー３０を該凹口領域の対応する前縁に押さえつけ（図３、図４、図５参照）、常時定位を達成する。同時に該弾性部材３６の一端３７を該アクティブバー３７に押させつけ、他端を凹口領域１７に定位する。
【００１８】
アクティブバー３０とその弾性部材３６の実装には、図７、図８に示すように、該アクティブバー３０の一端のバーアーム３１が凸部３５を有し、該弾性部材３６の一端３７を押さえつける。同時に図２に示すように、該絶縁ソケットに対応した凹口領域１７に長い溝状の凹部１９を設けてなり、該弾性部材３６の他端３８を定位する。好適な実施例中、該両側軌道１４の凹口領域１７底面にそれぞれ開口を設け、それぞれ軸溝部１８を有し、該アクティブバー３０の両端の支軸３１，３２を下から上に該軸溝部１８に挿入させ、更に底板４０を該殻体１０の絶縁ソケット１１およびその凹口領域１７底面を密封し、該アクティブバー３０の両端の支軸３３，３４と同時に組み合わせる。
【００１９】
本実施例のカード挿入コネクタのアクティブバー３０は、跨った状態で該第１組端子の上方から離れ、両側第２軌道１６の間に制止する。同時に該アクティブバー３０の両端の支軸３３，３４は、該両側軌道１４の対応位置を揺動の支点とし活動的にピン接合する。該第１カード（ＸＤカード）５１は該第１軌道１５に沿って後方に挿入時（図９、図１０参照）、該第１カード５１は該アクティブバー３０下面を通過して、その接点５４を該第１組端子２１の接触部２４に接触させる。同時にアクティブバー３０底縁には該第１カード５１上面の設置高さに合わせて、第１カード５１前端を上に向かって飛び出すことを避けることができる。
【００２０】
図１１に示すように、カードを挿入時、該第２カード（ＳＤカード）５２を該第２軌道１６に沿って後方に挿入し、該第２カード５２前端が該アクティブバー３０を後方へ押し動かし、該第１組端子２１を押し、その接触部２４を連動して下降させ、該第２カード５２から離し、図１２、図１３に示すように、該第２カード５２を該アクティブバー３０上方に通過させ、その接点５５を該第２組端子２２の接触部２５に接触させる。
【００２１】
図１４に示すように、第３カード（ＭＳカード）を挿入する時、同様に該アクティブバー３０を後下方に押し動かし、該第１組端子２１を押し、該第３カード５３を後方へ該アクティブバー３０の上方を通過させ、その接点５６を第３組端子２３の接触部２６に接触させる。
【００２２】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００２３】
【図１】本考案の好適な実施例のカード挿入保護型コネクタの立体図である。
【図２】図１のコネクタ底面の底板を取り外した後の立体図である。
【図３】図１のコネクタ内部の立体図である。
【図４】図３の他方向の立体図である。
【図５】図３の断面図である。
【図６】図３のアクティブバーの初歩的動作図である。
【図７】図３のアクティブバーの立体図である。
【図８】図７のアクティブバーの他の方向の立体図である。
【図９】本考案の好適な実施例のＸＤカードを挿入固定した状態図である。
【図１０】図９の俯瞰図である。
【図１１】本考案の好適な実施例のＳＤカードの初歩的挿入の図である。
【図１２】図１１のＳＤカードを挿入固定した状態図である。
【図１３】図１２の俯瞰図である。
【図１４】本考案の好適な実施例のＭＳカードの挿入固定した状態図である。
【符号の説明】
【００２４】
１０  殻体
１１ 絶縁ソケット
１２ 上蓋
１３ カード挿入空間
１４ 軌道
１５ 第１軌道
１６ 第２軌道
１７ 凹口領域
１８  軸溝部
１９  凹部
１１１ 係止部
１２１  係止孔
２１  第１組端子
２２ 第２組端子
２３ 第３組端子
２４，２５，２６ 接触部
３０  アクティブバー
３１，３２  バーアーム
３３，３４ 支軸
３５ 凸部
３６  弾性部材
３７  一端
３８  他端
４０  底板
５１  第１カード（ＸＤカード）
５２  第２カード（ＳＤカード）
５３  第３カード（ＭＳカード）
５４，５５，５６  接点
【図１】
0003136567.tif 000003
【図２】
0003136567.tif 000004
【図３】
0003136567.tif 000005
【図４】
0003136567.tif 000006
【図５】
0003136567.tif 000007
【図６】
0003136567.tif 000008
【図７】
0003136567.tif 000009
【図８】
0003136567.tif 000010
【図９】
0003136567.tif 000011
【図１１】
0003136567.tif 000012
【図１２】
0003136567.tif 000013
【図１４】
0003136567.tif 000014
【図１０】
0003136567.tif 000015
【図１３】
0003136567.tif 000016